(57)【要約】【課題】より目立たない構成を実現可能なドア枠を提案する。【解決手段】室内壁に形成される開口部４０に設置されるドア枠１０の枠材（縦枠１１）であって、枠材の見込面を構成する見込面部１１ｂには、見込方向Ｙの両端部からそれぞれ見込方向Ｙの外側に向けて突出され、裏側に室内壁を構成する壁板３０ｂ，３０ａの端部３０ｇ，３０ｈを納める突出片部１１ｇ，１１ｈが形成され、突出片部１１ｇ，１１ｈの突出端部には、突出片部１１ｇ，１１ｈの裏側に突出する見付部１１ｖ，１１ｗが形成される、ドア枠１０の枠材とする。【選択図】図３
2018131898.tif 000002
【特許請求の範囲】
【請求項１】
室内壁に形成される開口部に設置されるドア枠の枠材であって、
枠材の見込面を構成する見込面部には、
見込方向の両端部からそれぞれ見込方向の外側に向けて突出され、裏側に前記室内壁を構成する壁板の端部を納める突出片部が形成され、
前記突出片部の突出端部には、前記突出片部の裏側に突出する見付部が形成される、
ドア枠の枠材。
【請求項２】
前記枠材はアルミ形材で構成され、
前記見付部にて折り返すようにして化粧シートでラッピングされるものであり、
前記見付部の裏側には、化粧シートが当着される傾斜面が形成される、
請求項１に記載のドア枠の枠材。
【請求項３】
請求項１又は請求項２に記載のドア枠の枠材を用いたドア枠の納まり構造であって、
前記突出片部のうち、
一方の突出片部の裏側には、見付方向に設置される壁板の端部が納められ、
他方の突出片部の裏側には、見込方向に設置される壁板の端部が納められる、
ドア枠の納まり構造。
【請求項４】
請求項１又は請求項２に記載のドア枠の枠材を用いたドア枠の納まり構造であって、
前記突出片部のうち、
一方の突出片部の裏側には、見込方向に設置される壁板の端部が納められ、
他方の突出片部の裏側には、見込方向に設置される壁板の端部が納められる、
ドア枠の納まり構造。
【発明の詳細な説明】
【技術分野】
【０００１】
本発明は、住宅などに設置される室内ドアに関するものであり、より詳しくは、ドア（開き戸）の周囲に配置されるドア枠に関する。
【背景技術】
【０００２】
従来、住宅などに設置される室内ドアとして、室内壁の開口部にドア枠を設置し、ドア枠に蝶番を介してドア（開き戸）を回動可能に納める構成が知られており、ドア枠の構造に関する技術も知られている（例えば、特許文献１参照）。
【０００３】
特許文献１にも開示されるように、ドア枠は、柱に取り付けられる縦枠と、まぐさに取り付けられる横枠とから門形状をなす三方枠を構成し、一方の縦枠に対し蝶番に対してドア本体が回動可能に固定される
【先行技術文献】
【特許文献】
【０００４】
【特許文献１】特開２０１０−２４６５４号公報
【発明の概要】
【発明が解決しようとする課題】
【０００５】
特許文献１に開示される構成のように、枠材をＭＤＦや木材で突条部が形成される構成では、突条部について割れや欠けを生じさせないために、十分な肉厚をもたせて強度を確保する必要が生じることになる。このため、突条部の厚さを薄くするには限界があり、枠材をより目立たない意匠を実現するという要望には応えることができないものとなる。
【０００６】
そこで、本発明は以上の問題に鑑み、より目立たない構成を実現可能なドア枠を提案するものである。
【課題を解決するための手段】
【０００７】
本発明の解決しようとする課題は以上の如くであり、次にこの課題を解決するための手段を説明する。
【０００８】
即ち、請求項１に記載のごとく、室内壁に形成される開口部に設置されるドア枠の枠材であって、枠材の見込面を構成する見込面部には、見込方向の両端部からそれぞれ見込方向の外側に向けて突出され、裏側に前記室内壁を構成する壁板の端部を納める突出片部が形成され、前記突出片部の突出端部には、前記突出片部の裏側に突出する見付部が形成される、ドア枠の枠材とする。
【０００９】
また、請求項２に記載のごとく、前記枠材はアルミ形材で構成され、前記見付部にて折り返すようにして化粧シートでラッピングされるものであり、前記見付部の裏側には、化粧シートが当着される傾斜面が形成されることとする。
【００１０】
また、請求項３に記載のごとく、ドア枠の枠材を用いたドア枠の納まり構造であって、前記突出片部のうち、一方の突出片部の裏側には、見付方向に設置される壁板の端部が納められ、他方の突出片部の裏側には、見込方向に設置される壁板の端部が納められる、ドア枠の納まり構造とする。
【００１１】
また、請求項４に記載のごとく、ドア枠の納まり構造であって、前記突出片部のうち、一方の突出片部の裏側には、見込方向に設置される壁板の端部が納められ、他方の突出片部の裏側には、見込方向に設置される壁板の端部が納められる、ドア枠の納まり構造とする。
【発明の効果】
【００１２】
本発明によれば、本発明の効果として、以下に示すような効果を奏する。
【００１３】
即ち、請求項１に記載の発明においては、室内ドアを正面から見たときに見付部のみを外観に現すことができ、見付部の見付幅を小さくすることによって、枠材が目立たないシンプルなドア枠を構成することができる。
【００１４】
また、請求項２に記載の発明においては、見付部の見付幅を小さくしても強度が確保でき、また、見付幅や傾斜面を有することで化粧シートによるラッピングを綺麗に行える。
【００１５】
また、請求項３に記載の発明においては、ドアを平入り納まりとする場合において、ドア枠の枠材の突出片部の裏側に壁板の端部を納めることができ、壁全体の厚みが異なる室内壁に対応することができる。
【００１６】
また、請求項４に記載の発明においては、ドアを両入隅納まりとする場合において、ドア枠の枠材の突出片部の裏側に壁板の端部を納めることができ、壁全体の厚みが異なる室内壁に対応することができる。
【図面の簡単な説明】
【００１７】
【図１】本発明の一実施形態に係るドア枠を用いた室内ドアの構成について示す正面図。
【図２】図１におけるＡ−Ａ線水平断面図。
【図３】縦枠の構成と納まりの詳細について示す水平断面図である。
【図４】（Ａ）は縦枠の突出片部の構成について説明する図である。（Ｂ）はドアを平入り納まりとする場合について説明する図である。（Ｃ）はより厚い壁板を用いた場合の納まりについて示す図である。
【図５】（Ａ）は両入隅納まりとする場合のドアの吊元側の構成について説明する図である。（Ｂ）は両入隅納まりとする場合のドアの戸先側の構成について説明する図である。
【図６】横枠の構成と納まりの詳細について示す縦断面図である。
【図７】（Ａ）は横枠の突出片部の構成について説明する図である。（Ｂ）は天井材の納まりの例について説明する図である。（Ｃ）はより厚い天井材を用いた場合の納まりについて示す図である。
【発明を実施するための形態】
【００１８】
本発明の実施形態を図面に基づいて説明する。
図１は、本発明の一実施形態に係るドア枠１０を用いた室内ドア１の構成について示す正面図である。
室内壁３０に形成される開口部４０には、開き戸として構成されるドア本体２が開閉可能に設けられている。ドア本体２の戸先側にはレバーハンドル５０Ａが設けられ、吊元側は蝶番２８にて回動可能にドア枠１０側に連結されている。
【００１９】
ドア枠１０は、間柱５，６に対してそれぞれ固定される縦枠１１，１２と、天井側のまぐさ７に対して固定される横枠１３の三つの枠材を門形状に組むことで三方枠を構成している。なお、縦枠１１，１２については、壁を作るための下地材としての間柱５，６の他、通し柱や菅柱など柱部材に固定される場合もある。
【００２０】
図２は、図１におけるＡ−Ａ線水平断面図であり、図３は、縦枠の構成と納まりの詳細について示す水平断面図である。ここで示される室内ドア１の納まりは、ドア本体２が、その見込方向Ｙの両側の室内壁３０ｂ，３０ｃと平行して納められる平入り納まりとなっている。なお、以下の説明において、見込方向Ｙの内側とは、縦枠１１において見込方向Ｙの中心部に近い側のことをいい、その反対側を見込方向Ｙの外側とする。
【００２１】
図２に示すように、縦枠１１は長尺のアルミ形材（アルミ押出成形品）にて構成されており、間柱５の見込面５ａに対して付設される。間柱５と縦枠１１の間には、かい木５ｄが適宜挟装される。同様に、縦枠１２も間柱６の見込面６ａに対して付設される。間柱６と縦枠１２の間には、かい木６ｄが適宜挟装される。
【００２２】
図３は縦枠１１の部位を拡大したものであり、縦枠１１には、開口部に配設される被固定部としての間柱５の見込面５ａ（かい木５ｄ）に当接する固定面部１１ａと、固定面部１１ａに対し見付方向Ｘに離れた位置に形成され、固定面部１１ａと平行な面で構成される見込面部１１ｂが形成される。見込面部１１ｂの表面において、外観に現れる見込面が形成される。
【００２３】
また、固定面部１１ａと見込面部１１ｂは、見付方向Ｘに伸びる縦面部１１ｃ〜１１ｆにより接続される。この縦面部１１ｃ〜１１ｆのうち、見込方向Ｙにおいて外側に配置される縦面部１１ｃ，１１ｆは、それぞれ、見込面部１１ｂの見込方向Ｙの端部（見付部１１ｖ，１１ｗ）から内側に奥まった位置に配置される。
【００２４】
また、見込方向Ｙにおいて縦面部１１ｃ，１１ｆの間の部位を本体部分１１Ａとし、本体部分１１Ａから見込方向Ｙの外側に突出するように突出片部１１ｇ，１１ｈが形成される。本実施例では、見込面部１１ｂと連続させて突出片部１１ｇ，１１ｈが形成されている。
【００２５】
そして、縦面部１１ｃと突出片部１１ｇ、縦面部１１ｆと突出片部１１ｈ、のそれぞれにおいて、略Ｌ字状の空間１１ｊ，１１ｋが形成される。このうち、縦面部１１ｃと突出片部１１ｇで形成される空間１１ｊには、間柱５の見付面５ｂ側に配置される壁板３０ｂの端部３０ｇが納められる。
【００２６】
また、突出片部１１ｇの見込方向Ｙの外側の端部には、見付幅Ｘｇを有する見付部１１ｖが形成される。この見付部１１ｖは、壁板３０ｂの表面に対向する側（固定面部１１ａの方向）に突出させるように肉厚を厚くすることで構成され、見付部１１ｖと壁板３０ｂの間に縦隙間３３ｖが形成される。
【００２７】
そして、この縦隙間３３ｖが形成されることで、縦隙間３３ｖに対し、壁板３０ｂの下地ボード３１ａに貼付される壁クロス３１ｂの端部を差し込むとともに、縦隙間３３ｖにシーリング材３４を充填することができ、壁クロス３１ｂの仕上げを綺麗にできる。
【００２８】
また、見付部１１ｖを形成することによって、壁板３０ｂの端部３０ｇの角部分（エッジ部分）を覆い隠すことができ、壁板３０ｂの端部３０ｇの仕上げの手間を省くことができる。
【００２９】
また、縦枠１１において外観に現れる部位は、化粧シート１５でラッピングされており、化粧シート１５は、見付部１１ｖにて回り込むようにして折り返される。この際、見付幅Ｘｇが確保されることで、化粧シート１５の折り曲げの角度を緩やかにすることができ、化粧シート１５によるラッピングを綺麗に仕上げることができる。
【００３０】
なお、仮に、見付部１１ｖが見付幅Ｘｇの厚みを有さずに、突出片部１１ｇの部位の板厚で構成される場合には、化粧シート１５が薄板の端部で折り返されることになるため、化粧シート１５自体の厚みによって突出片部１１ｇと化粧シート１５の間に隙間が形成されてしまうなど、綺麗にラッピングができない、或いは、ラッピングが難しくなることが懸念される。また、見付部１１ｖの裏側に化粧シート１５を当着させるための傾斜面１１ｖａを形成することにより、ラッピングするためのローラを用い化粧シート１５を見付部１１ｖの裏側に当着させることができ、綺麗にラッピングすることが可能となる。
【００３１】
また、本実施例では、見付部１１ｖの肉厚を厚くすることで見付幅Ｘｇを確保することとしたが、例えば、突出片部１１ｇの端部から９０度横方向に突出する突出片部を形成することによって、見付幅Ｘｇが確保されることとしてもよい。
【００３２】
他方、縦枠１１において、縦面部１１ｆと突出片部１１ｈで形成される空間１１ｋには、間柱５の見込面５ａに対向して配置される壁板３０ａの端部３０ｈが納められる。間柱５の見込面５ａと壁板３０ａの間には、適宜、スペーサー３５が挟装されることで、壁板３０ａの複数の厚みに対応することができる。
【００３３】
この壁板３０ａは、見込方向Ｙに配設されるものであり、間柱５の見付面５ｃ側に配置され見付方向Ｘに配設される壁板３０ｃと直交するように配置される。壁板３０ａと壁板３０ｃの壁面にて角部３０ｋが形成される。壁板３０ａと壁板３０ｃの外側の表面には、壁クロス３１ｄが連続的に貼設され、一連の連続した壁面が形成される。
【００３４】
突出片部１１ｈの見込方向Ｙの外側の端部には、見付幅Ｘｈを有する見付部１１ｗが形成され、見込方向Ｙにおいて反対側に形成される見付部１１ｖと同様に、見付部１１ｗと壁板３０ａの間に縦隙間３３ｗが形成される。
【００３５】
そして、この縦隙間３３ｗが形成されることで、縦隙間３３ｗに対し、壁板３０ａの下地ボード３１ｃに貼付される壁クロス３１ｄの端部を差し込むとともに、縦隙間３３ｗにシーリング材３４を充填することができ、壁クロス３１ｄの仕上げを綺麗にできる。
【００３６】
また、縦枠１１において、見込方向Ｙにおいて内側に配置される縦面部１１ｄ，１１ｅの間には見込面部１１ｂが形成されておらず、縦面部１１ｄ，１１ｅと固定面部１１ａによって略コ字状の溝部１１ｍが形成される。
【００３７】
この溝部１１ｍに対し、長尺の戸当材１６が取り付けられる。戸当材１６は、樹脂などの弾性部材にて構成され、中空の矩形断面部１６ｃの一面に嵌合片部１６ａ，１６ｂが形成されており、この嵌合片部１６ａ，１６ｂが溝部１１ｍに対して嵌入される。
【００３８】
溝部１１ｍを構成する縦面部１１ｄ，１１ｅには、微小の複数列の突条部１１ｓ，１１ｓが縦枠１１の長手方向に形成されており、この突条部１１ｓ，１１ｓに対し、戸当材１６の嵌合片部１６ａ，１６ｂに形成される波型の係合表面部１６ｓが係合することで、戸当材１６の抜け防止が図られている。
【００３９】
また、溝部１１ｍを構成する縦面部１１ｄ，１１ｅの見込方向Ｙの幅は、開口側が狭い、つまり、固定面部１１ａと反対側になるほど狭くなるように構成されており、これにより、取り付けられた戸当材１６を抜け難くすることができる。
【００４０】
また、溝部１１ｍには、固定面部１１ａを間柱５に固定するための図示せぬビスなどの固定具が配置され、この固定具が戸当材１６によって隠される。
【００４１】
以上に説明した縦枠１１の構成は、図２に示すように、縦枠１２においても同様の構成とされる。なお、縦枠１１の見込面部１１ｂには、ドア本体２の端面にて没入するラッチボルトが差し込まれる図示せぬストライクが取り付けられ、縦枠１２の見込面部１２ｂには、ドア本体２を回動可能に支持する蝶番２８が取り付けられる。
【００４２】
図４（Ａ）は縦枠１１の突出片部１１ｇ，１１ｈの構成について示すものであり、縦面部１１ｃと突出片部１１ｇ、縦面部１１ｆと突出片部１１ｈ、のそれぞれにおいて、略Ｌ字状の空間１１ｊ，１１ｋが形成される。空間１１ｊ，１１ｋにおいては、見付方向Ｘにおいて幅Ｘ１，Ｘ２（突出片部１１ｇ，１１ｈとかい木５ｄの間の隙間寸法）、見込方向Ｙにおいて幅Ｙ１，Ｙ２がそれぞれ確保される。
【００４３】
そして、図４（Ｂ）の平入り納まりの例に示すように、空間１１ｊ，１１ｋに対して壁板３０ｂ，３０ａの端部３０ｇ，３０ｈを差し込むようにして納めることができ、壁板３０ｂ，３０ａの端部３０ｇ，３０ｈを突出片部１１ｇ，１１ｈの裏側によって隠すことが可能となって、仕上げ作業が容易な構成が実現される。なお、突出片部１１ｇ，１１ｈの裏側とは、見付方向Ｘにおいてドア本体から離れる側のことをいう。
【００４４】
また、図４（Ｃ）に示すように、図４（Ｂ）に用いられる壁板３０ｂ，３０ａよりも厚みを有する壁板３０ｎ，３０ｍが用いられる場合においても、縦枠１１の見込方向Ｙの設置位置を適宜設定する（壁板３０ｎ側にずらす）とともに、図４（Ｂ）において使用されるスペーサー３５を省略するなどにより、壁板３０ｎ，３０ｍを納めることが可能となる。
【００４５】
このように、図４（Ｂ）（Ｃ）に示される平入り納まりにおいて、厚みの異なる壁板が採用され室内壁の全体の厚み（全厚Ｘｂ，Ｘｃ）が異なる場合であっても、適宜対応することが可能となり、壁板の厚みに応じて枠材を用意する必要が無い。なお、図４（Ｂ）では壁板３０ａ、図４（Ｃ）では壁板３０ｍの見込方向Ｙの寸法の設定により、あらゆる寸法の壁の全体厚み（全厚Ｘｂ，Ｘｃ）に対応することができ、極めて汎用性の高い納まり構造が実現できる。
【００４６】
さらに、図５（Ａ）（Ｂ）ドア本体２が、その見込方向Ｙの両側の壁板３０ｗ，３０ｖと直交して納められる両入隅納まりの例を示すものであり、図５（Ａ）は吊元側について、図５（Ｂ）は戸先側についてそれぞれ示すものである。
【００４７】
ドア本体２の吊元側については、図５（Ａ）に示すように、両入隅納まりの構成において、縦枠１２の突出片部１２ｇ，１２ｈのうち、一方の突出片部１２ｇの裏側には、見込方向Ｙに設置される壁板３０ｗの端部３０ｋが納められ、他方の突出片部１２ｈの裏側には、見込方向Ｙに設置される壁板３０ｖの端部３０ｊが納められる構成が実現される。また、間柱５と壁板３０ｖ，３０ｗの間には、適宜、スペーサー３５が挟装されることで、壁板３０ｖ，３０ｗの複数の厚みに対応することができる。なお、図５（Ａ）において、ドア本体２の吊構造については図示せず省略している。
【００４８】
また、ドア本体２の戸先側では、図５（Ｂ）に示すように、かい木５ｓにより縦枠１１の留め付け位置がかさ上げされ、ドア本体２の開閉がされる際に、ドア本体２の先端と壁板３０ｗの干渉を防ぐことができる。また、間柱５と壁板３０ｖ，３０ｗの間には、適宜、スペーサー３５が挟装されることで、壁板３０ｖ，３０ｗの複数の厚みに対応することができる。
【００４９】
さらに、かさ上げにより形成される空間１１ｊ，１１ｋは、それぞれ、化粧部材４５ｗ，４５ｖを配設することで埋められる。なお、化粧部材４５ｗ，４５ｖは、縦枠１１に用いられる化粧シートにてラッピングされることで、縦枠１１と化粧部材４５ｗ，４５ｖの一体感が確保される。
【００５０】
図６は、横枠１３の構成と納まりの詳細について示す縦断面図である。この横枠１３は、上述した縦枠１１の構成に加え、縦枠１１，１２と連結するための固定具が挿入されるタッピングホール１３ｚが形成される以外は、縦枠１１，１２と共通の断面形状を有して構成される。
【００５１】
図６に示すように、横枠１３の固定面部１３ａは、開口部に配設される被固定部としてのまぐさ７の見込面７ａ（下面）に対して付設される。まぐさ７と横枠１３の間には、かい木７ｄが適宜挟装される。
【００５２】
まぐさ７の両側部には際野縁３７ａ，３７ｂが付設され、際野縁３７ａ，３７ｂの下面に沿うように天井材３６ａ，３６ｂが配設される。
【００５３】
横枠１３の突出片部１３ｇ，１３ｈと際野縁３７ａ，３７ｂの間には、空間１３ｊ，１３ｋが形成され、各空間１３ｊ，１３ｋにそれぞれ天井材３６ａ，３６ｂの端部が納められる。
【００５４】
突出片部１３ｇ，１３ｈの見込方向Ｙの外側の端部には、見付幅Ｘｇ，Ｘｈを有する見付部１３ｖ，１３ｗがそれぞれ形成され、見付部１３ｖ，１３ｗと天井材３６ａ，３６ｂの間に縦溝３８ｖ，３８ｗが形成され、縦溝３８ｖ，３８ｗに天井クロス３９ａ，３９ｂの端部が差し込まれるとともに、シーリング材３４，３４にて隙間が埋められる。
【００５５】
図７（Ａ）は横枠１３の突出片部１３ｇ，１３ｈの構成について示すものである。縦面部１３ｃと突出片部１３ｇ、縦面部１３ｆと突出片部１３ｈ、のそれぞれにおいて、略Ｌ字状の空間１３ｊ，１３ｋが形成される。空間１３ｊ，１３ｋにおいては、高さ方向Ｚにおいて幅Ｚ３，Ｚ４（突出片部１３ｇ，１３ｈと際野縁３７ａ，３７ｂの間の隙間寸法）、見込方向Ｙにおいて幅Ｙ３，Ｙ４がそれぞれ確保される。
【００５６】
そして、図７（Ｂ）に示す納まりの場合に示すように、空間１３ｊ，１３ｋに対して天井材３６ａ，３６ｂの端部３６ｇ，３６ｈを差し込むようにして納めることができ、天井材３６ａ，３６ｂの端部３６ｇ，３６ｈを突出片部１３ｇ，１３ｈの裏側に隠すことが可能となって、仕上げ作業が容易な構成が実現される。なお、突出片部１３ｇ，１３ｈの裏側とは、高さ方向Ｚにおいて、ドア本体から離れる側のことをいう。
【００５７】
また、図７（Ｃ）に示すように、図７（Ｂ）に用いられる天井材３６ａ，３６ｂよりも厚みを有する天井材３６ｎ，３６ｍが用いられる場合においても、かい木７ｄと固定面部１３ａの間にスペーサー７ｓを挟装し、横枠１３の高さ方向Ｚの設置位置を下方に下げることで、空間１３ｊ，１３ｋの縦幅を広くし、天井材３６ｎ，３６ｍを納めることが可能となる。
【００５８】
このように、図７（Ｂ）（Ｃ）に示される天井箇所での納まりにおいて、厚みの異なる天井材に対応することができ、天井材の厚みに応じて枠材を用意する必要が無い。
【００５９】
以上のようにして本発明を実施することができる。
即ち、図２及び図３の例に示されるように、
室内壁に形成される開口部４０に設置されるドア枠１０の枠材（縦枠１１，１２、横枠１３）であって、枠材の見込面を構成する見込面部１１ｂには、見込方向Ｙの両端部からそれぞれ見込方向Ｙの外側に向けて突出され、裏側に室内壁を構成する壁板３０ｂ，３０ａの端部３０ｇ，３０ｈを納める突出片部１１ｇ，１１ｈが形成され、
突出片部１１ｇ，１１ｈの突出端部には、突出片部１１ｇ，１１ｈの裏側に突出する見付部１１ｖ，１１ｗが形成される、ドア枠１０の枠材とするものである。
【００６０】
これにより、室内ドア１を正面から見たときに見付部１１ｖ，１１ｗのみを外観に現すことができ、見付部１１ｖ，１１ｗの見付幅Ｘｇ，Ｘｈを小さくすることによって、枠材が目立たないシンプルなドア枠１０を構成することができる。
【００６１】
また、図３に示すように、枠材（縦枠１１，１２）はアルミ形材で構成され、
見付部１１ｖ，１１ｗにて折り返すようにして化粧シート１５でラッピングされるものであり、
見付部１１ｖ，１１ｗの裏側には、化粧シート１５が当着される傾斜面１１ｖａ，１１ｗａが形成される、こととするものである。
【００６２】
これにより、見付部１１ｖ，１１ｗの見付幅Ｘｇ，Ｘｈを小さくしても強度が確保でき、また、見付幅Ｘｇ，Ｘｈや傾斜面１１ｖａ，１１ｗａを有することで化粧シート１５によるラッピングを綺麗に行える。
【００６３】
また、図３に示すように、
ドア枠１０の枠材（縦枠１１）を用いたドア枠１０の納まり構造であって、
突出片部１１ｇ，１１ｈのうち、
一方の突出片部１１ｇの裏側には、見付方向Ｘに設置される壁板３０ｂの端部３０ｇが納められ、
他方の突出片部１１ｈの裏側には、見込方向Ｙに設置される壁板３０ａの端部３０ｈが納められる、
ドア枠１０の納まり構造とするものである。
【００６４】
これにより、ドアを平入り納まりとする場合において、ドア枠１０の枠材（縦枠１１）の突出片部１１ｇ，１１ｈの裏側に３０ｂ，３０ａの端部３０ｇ，３０ｈを納めることができ、壁全体の厚みが異なる室内壁に対応することができる。
【００６５】
また、図５（Ａ）に示すように、
ドア枠１０の枠材（縦枠１２）を用いたドア枠１０の納まり構造であって、
突出片部１２ｇ，１２ｈのうち、
一方の突出片部１２ｇの裏側には、見込方向Ｙに設置される壁板３０ｗの端部３０ｋが納められ、
他方の突出片部１２ｈの裏側には、見込方向Ｙに設置される壁板３０ｖの端部３０ｊが納められる、
ドア枠１０の納まり構造とするものである。
【００６６】
これにより、ドアを両入隅納まりとする場合において、ドア枠１０の枠材（縦枠１２）の突出片部１２ｇ，１２ｈの裏側に壁板３０ｗ，３０ｖの端部３０ｋ，３０ｊを納めることができ、壁全体の厚みが異なる複数の室内壁に対応することができる。
【産業上の利用可能性】
【００６７】
本発明は、住宅等に設けられる室内ドアのドア枠について、幅広く適用することができる。
【符号の説明】
【００６８】
１０        ドア枠
１１        縦枠
１１ｂ      見込面部
１１ｇ      突出片部
１１ｈ      突出片部
１１ｖ      見付部
１１ｗ      見付部
３０ａ      壁板
３０ｂ      壁板
３０ｇ      端部
３０ｈ      端部
４０        開口部
Ｙ          見込方向
【図１】
2018131898.tif 000003
【図２】
2018131898.tif 000004
【図３】
2018131898.tif 000005
【図４】
2018131898.tif 000006
【図５】
2018131898.tif 000007
【図６】
2018131898.tif 000008
【図７】
2018131898.tif 000009
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
室内壁の開口部に固定されるドア用の枠材であって、
前記枠材は、開口部の見込面内に設置され、
前記枠材における前記ドアのドア本体の開閉側に配置されるとともに、見込方向の一方側に配置される前記室内壁の壁板の端部を被覆する突出片部と、
前記枠材における見込方向の他方側に配置され、前記開口部の見込方向に納まる壁板の見込方向の端部に当接可能な当接面と、を有する、枠材。
【請求項２】
前記枠材はアルミ形材で構成される、請求項１に記載の枠材。
【請求項３】
前記枠材は、前記突出片部の見込方向の他方側に戸当材を有する、請求項１又は２に記載の枠材。
【請求項４】
前記突出片部の突出端部には、前記突出片部の裏側に突出する見付部が形成される、請求項１〜３のいずれか１項に記載の枠材。
【請求項５】
請求項１〜４のいずれか１項に記載される枠材と、前記ドア本体と、を有する室内用ドア。